(57)【特許請求の範囲】
【請求項１】
動物腸管をその始管部から中空円筒状構造体の軸方向に沿ってその外周側の先端より逐次覆うように被せ、その腸管の内容物を除去、洗浄すると共に、前記腸管の終管部から前記中空円筒状構造体の軸方向に沿ってその内周側の前記先端より腸管表裏を反転させて逐次挿入し、その腸管を吸引する処理パイプと、
その処理パイプの前記先端に着脱自在に嵌められ、動物腸管始管部を前記処理パイプの外壁面に被せるために案内し、洗浄のための水噴出口を兼ねる案内ガイドと、
前記処理パイプの先端に対向する終端側の処理パイプ上に垂直方向に第１のバルブを設けて接続された洗浄水供給パイプと、
前記処理パイプの周囲の複数箇所に設けられ、その処理パイプの外周に被せられた腸管をその外周面との間に挟んで前記軸方向に搬送させる正転・逆転可能な搬送体と、
前記処理パイプの先端に対向する終端に第２のバルブを設けて接続して配設され、前記処理パイプの内周面に表裏反転して挿入された動物腸管を前記処理パイプの終端から吸引することにより腸管の前記始管部まで腸管全体を反転させて回収する真空タンクとから構成されることを特徴とする動物腸管表裏反転処理装置。
【請求項２】
前記真空タンクは、真空ポンプに接続され、減圧弁と、残滓分離部と、反転腸管搬出口とを備えていることを特徴とする請求項１記載の動物腸管表裏反転処理装置。
【請求項３】
前記搬送体は、歯車状突起を備えたローラ或いは突起を有するベルトのいずれかにより形成され、正転の場合は処理パイプ外周に差し込まれた動物腸管を手繰り寄せ処理パイプ後端方向に搬送すると共に、動物腸管の終管部が処理パイプ内周面に表裏反転して挿入されたとき、逆転させ処理パイプ外周に手繰り寄せられた動物腸管を処理パイプ先端方向に搬送することを特徴とする請求項１記載の動物腸管表裏反転処理装置。
【請求項４】
前記案内ガイドに対応する下方に、動物腸管に付属する腸間膜及び油脂部を切除分離する回転刃と、処理前の動物腸管を案内する案内溝を有する案内板と、処理前の動物腸管が収容される原料水槽とをさらに備えることを特徴とする請求項１記載の動物腸管表裏反転処理装置。
【請求項５】
前記処理パイプは、その先端から終端に向かってＵ字形に曲げられており、原料水槽に並列に反転腸管搬出口が設けられていることを特徴とする請求項１乃至４のいずれかに記載の動物腸管表裏反転処理装置。
【請求項６】
動物腸管に付属する腸間膜及び油脂を切除しながら動物腸管の内容物を洗浄し、洗浄しながら動物腸管の始管部を着脱自在に嵌められた案内ガイドを介して処理パイプ外周に通し、搬送体を正転させて処理パイプ長手後端に移動させる第１の工程と、
洗浄されて処理パイプに通された動物腸管の終管部を表裏反転させて、案内ガイドが外された処理パイプ先端の管内に挿入する第２の工程と、
搬送体を逆転させながら、真空ポンプを稼動し真空タンクを負圧にして、動物腸管の終管部から始管部まで逐次表裏反転させながら処理パイプ内に挿入される１本の動物腸管をパイプ後端に吸引して動物腸管全体を反転させ真空タンクへ入れる第３の工程と、
前記第１から第３の工程を繰り返した後、真空ポンプを止めて真空タンクに空気を入れて反転処理された動物腸管を複数本回収する第４の工程とから構成されることを特徴とする動物腸管表裏反転処理装置を用いた動物腸管表裏反転処理方法。
【発明の詳細な説明】
【０００１】
【発明の属する技術分野】
本発明は、食肉用動物腸管の洗浄・油脂切除と共に、表裏反転させた食用内臓を連続的に処理する装置及びこれを用いた表裏反転処理方法に関する。
【０００２】
【従来の技術】
従来動物の小腸などの腸管は、内容物の洗浄が行われ、表面の腸間膜や油脂を切除した後、長手方向に切開されて内容物の洗浄が行われた内蔵を食用とするのが一般的であった。この作業を効率よく行う装置として特許文献１が知られている。
【０００３】
従来、動物腸管の表裏を反転処理して調理することにより食味がよく、付加価値が高くなることが知られ、内臓料理の専門店で「丸腸」として利用されていた。しかし、数メートルの長さを有する紐状の動物小腸を切開せずに内容物を洗浄して表裏を反転する作業は手作業のため手間がかかる問題があった。このため一般消費向けに供給する事ができなかった。また、安価に供給する事ができなかった。
【０００４】
【特許文献１】
特開２００２−９５４０６号公報（第２、３頁、第１図）
【０００５】
【発明が解決しようとする課題】
本発明は、前記の問題に鑑みてなされたもので、動物腸管の洗浄・油脂切除と共に、表裏反転させた食用内臓を連続的に処理する装置及び表裏反転処理方法を提供することを課題とする。
【０００６】
【課題を解決するための手段】
前記課題を解決するため、本発明の動物腸管表裏反転処理装置は、動物腸管をその始管部から中空円筒状構造体の軸方向に沿ってその外周側の先端より逐次覆うように被せ、その腸管の内容物を除去、洗浄すると共に、前記腸管の終管部から前記中空円筒状構造体の軸方向に沿ってその内周側の前記先端より腸管表裏を反転させて逐次挿入し、その腸管を吸引する処理パイプと、
その処理パイプの前記先端に着脱自在に嵌められ、動物腸管始管部を前記処理パイプの外壁面に被せるために案内し、洗浄のための水噴出口を兼ねる案内ガイドと、
前記処理パイプの先端に対向する終端側の処理パイプ上に垂直方向に第１のバルブを設けて接続された洗浄水供給パイプと、
前記処理パイプの周囲の複数箇所に設けられ、その処理パイプの外周に被せられた腸管をその外周面との間に挟んで前記軸方向に搬送させる正転・逆転可能な搬送体と、
前記処理パイプの先端に対向する終端に第２のバルブを設けて接続して配設され、前記処理パイプの内周面に表裏反転して挿入された動物腸管を前記処理パイプの終端から吸引することにより腸管の前記始管部まで腸管全体を反転させて回収する真空タンクとから構成されることを特徴とする。
【０００７】
また、前記真空タンクは、真空ポンプに接続され、減圧弁と、残滓分離部と、反転腸管搬出口とを供えていることを特徴とする。
【０００８】
また、前記搬送体は、歯車状突起を備えたローラ或いは突起を有するベルトのいずれかにより形成され、正転の場合は処理パイプ外周に差し込まれた動物腸管を手繰り寄せ処理パイプ後端方向に搬送すると共に、動物腸管の終管部が処理パイプ内周面に表裏反転して挿入されたとき、逆転させ処理パイプ外周に手繰り寄せられた動物腸管を処理パイプ先端方向に搬送することを特徴とする。
【０００９】
また、前記案内ガイドに対応する下方に、動物腸管に付属する腸間膜及び油脂部を切除分離する回転刃と、処理前の動物腸管を案内する案内溝を有する案内板と、処理前の動物腸管が収容される原料水槽とをさらに備えることを特徴とする。
【００１０】
また、前記処理パイプは、その先端から終端に向かってＵ字形に曲げられており、原料水槽に並列に反転腸管搬出口が設けられていることを特徴とする。
【００１１】
動物腸管に付属する腸間膜及び油脂を切除しながら動物腸管の内容物を洗浄し、洗浄しながら動物腸管の始管部を着脱自在に嵌められた案内ガイドを介して処理パイプ外周に通し、搬送体を正転させて処理パイプ長手後端に移動させる第１の工程と、
洗浄されて処理パイプに通された動物腸管の終管部を表裏反転させて、案内ガイドが外された処理パイプ先端の管内に挿入する第２の工程と、
搬送体を逆転させながら、真空ポンプを稼動し真空タンクを負圧にして、動物腸管の終管部から始管部まで逐次表裏反転させながら処理パイプ内に挿入される１本の動物腸管をパイプ後端に吸引して動物腸管全体を反転させ真空タンクへ入れる第３の工程と、
前記第１から第３の工程を繰り返した後、真空ポンプを止めて真空タンクに空気を入れて反転処理された動物腸管を複数本回収する第４の工程とから構成されることを特徴とする。
【００１２】
【発明の実施の形態】
図１は、本発明の動物腸管表裏反転処理装置の構成を示す模式図である。
【００１３】
動物腸管表裏反転処理装置１００は、動物腸管１５に挿入して内容物を除去洗浄すると共に腸管表裏を反転させて吸引する処理パイプ１と、処理パイプ１の先端に着脱自在に嵌められた案内ガイド２と、処理パイプ１に接続された洗浄水供給パイプ３と、処理パイプ１の周囲に設けられた搬送体５と、処理パイプ後端１ｂに接続された真空タンク４とを備える。
【００１４】
案内ガイド２は、処理パイプ１の先端に着脱自在に嵌められ、動物腸管始管部１５ａへの処理パイプ１の挿入をガイドするもので、先端の洗浄水噴出口から洗浄水を腸管内に噴出させて内容物を洗浄する。この洗浄水は処理パイプ１に接続された洗浄水供給パイプ３から供給される。洗浄水供給パイプ３には供給・停止を制御する水バルブ３ａを備える。
【００１５】
複数の搬送体５は、処理パイプ１の外周側の先端１ａより覆うように被せた動物腸管１５を処理パイプ１の後端１ｂ方向へ手繰り寄せる動作と、一旦手繰り寄せられた動物腸管１５を表裏反転させるために処理パイプ先端１ａ方向へ戻す動作を行うもので、歯車状突起を備えたローラ或いは突起を有するベルトのいずれかにより形成され、正転の場合は処理パイプ外周に差し込まれた動物腸管１５を手繰り寄せ処理パイプ後端１ｂ方向に搬送すると共に、動物腸管１５の終管部１５ｂが処理パイプ１内に表裏反転して挿入されたとき、逆転させ処理パイプ１外周に手繰り寄せられた動物腸管１５を処理パイプ先端１ａ方向に搬送する。
【００１６】
真空タンク４は、処理パイプ１の吸引バルブ（第２のバルブ）４ａが開かれたとき、処理パイプ１の先端１ａに表裏反転して挿入された動物腸管１５を吸引するもので、真空ポンプ８が接続されている。真空タンク４内には下方に金網状の残滓分離部４ｂを有し、残滓水分が切られた反転腸管の搬出口４ｃを備える。その搬出口４ｃは、ゴムパッキングなどにより着脱自在であり且つ機密も保つように構成される。
【００１７】
前記案内ガイド２に対応する下方に、動物腸管１５に付属する腸間膜及び油脂部を切除分離する回転刃６と、回転刃の駆動部６ａと、処理前の動物腸管１５を案内する案内溝７ａを有する案内板７と、処理前の動物腸管１５が収容される原料水槽９とが備えられている。
【００１８】
この動物腸管１５の腸間膜及び油脂切り取り機構は、２枚の油脂切取用水平回転刃を用いて油膜層の付着を防止する公知の方法が望ましい。（図示せず）
【００１９】
図２は、動物腸管表裏反転処理方法を説明する模式図で、（ａ）は案内ガイド２の挿入を示す断面図。（ｂ）は処理パイプの外周側に被せられた動物腸管１５の断面図。（ｃ）は処理パイプ１の内周側で表裏反転されて吸引される動物腸管１５の断面図である。
【００２０】
図２（ａ）は案内ガイド２の接続ネジ部２ａを処理パイプ１の先端１ａのネジ部１ｃに接続した状態を示す。尚、案内ガイド２と処理パイプ１の接続はネジ込みに限ることなく、いずれか一方の径を細めに形成して嵌め合いとしてもよい。
【００２１】
このようにすれば、動物腸管１５の始管部１５ａを容易に案内ガイドを介して処理パイプ１のパイプ先端１ａの外周側に被せることができる。
【００２２】
以上のようにして動物腸管１５の始管部１５ａを搬送体５のローラ或いはベルトと処理パイプ１の外周との間に挟み正転するように搬送体５の電源をＯＮする。
【００２３】
複数の搬送体５の正転により、動物腸管１５が逐次に処理パイプ１のパイプ後端１ｂ方向へ押出される。押出された動物腸管１５は、図２（ｂ）に示すように「しわ」状となる。
【００２４】
図２（ｂ）では動物腸管１５の終管部１５ｂが丁度処理パイプ１の先端１ａの付近で搬送体５の駆動を停止し、案内ガイド２を取外した状態を示す。
【００２５】
また、搬送体５を正転させる前から搬送体５を停止させるまでは少なくとも処理パイプ１の中空円筒内をその後端１ｂ側から始端１ａ側に向かって洗浄水を放出する。
【００２６】
そのためには、図１に示す真空タンク４の吸引バルブ（第２のバルブ）４ａを閉じて、洗浄水供給パイプ３の第１の水バルブ３ａを開き、処理パイプ１の先端１ａに向かって水を放出させ、案内ガイド２の先端から動物腸管１５内に噴出させる。
【００２７】
これによって、腸管内容物を終管部から排出させて動物腸管内部の洗浄を行いながら、搬送体５は動物腸管１５を処理パイプ１の後端１ｂのほうへ移動させる。
【００２８】
次に、図２ｃには、動物腸管１５を反転させる最後の状態を示す。動物腸管１５の終管部１５ｂまでを処理パイプ１に被せた段階で、洗浄水供給パイプ３の第１の水バルブ３ａを閉じて案内ガイド３を処理パイプ１から取外してある。
【００２９】
すなわち、搬送体５をすべて徐々に逆転させる。動物腸管１５の終管部１５ｂがパイプ先端１ａに向かって移動しその終管部１５ｂはパイプ先端１ａを通過し飛び出す。その通過した終管部１５ｂの部分をパイプ先端１ａ内周に差し込む。この状態で、処理パイプ１の内周側では動物腸管１５の表側が内側となり、裏側が外側となる。
【００３０】
ここで、ここで図１に示す吸引バルブ（第２のバルブ）４ａを開き、真空ポンプ８の電源をＯＮとする。
【００３１】
真空ポンプ８を駆動すれば搬出口４ｃが閉じられた真空タンク４を介して処理パイプ後端１ｂより空気を吸引する。
【００３２】
空気が吸引されれば、それにより処理パイプ１内の動物腸管１５の終管部１５ｂを吸引することとなる。
【００３３】
さらに、同時に、逆転する搬送体５により、処理パイプ１の外周に被せられた動物腸管１５は、処理パイプ先端１ａ側に移動するので、その先端１ａで動物腸管１５は裏返しとなり処理パイプ１の内周側に反転して吸引されて、処理パイプ１の終端１ｂへ向かって移動する。図２（ｃ）は、その最初の状態を示す。
【００３４】
図示していないが、その吸引された１本の動物腸管１５は、その始管部１５ａまで裏返しとなり、すべて処理パイプ１の内周側に入り、その処理パイプ１内を経由して真空タンク４へ搬送され、残滓分離部４ｂ上に収納される。
【００３５】
以上の動物腸管１５を反転処理する方法は、以下の第１、第２、第３、第４の各工程から構成される。
【００３６】
第１の工程は、動物腸管１５に付着する腸間膜及び油脂を切除しながら、動物腸管１５内に洗浄水を流入させ、内容物を洗浄しながら動物腸管１５の始管部１５ａを着脱自在に嵌められた案内ガイド２を介して処理パイプ１外周に通し、搬送体５を正転させて、処理パイプ１の軸方向後端１ｂへ移動させる工程である。
【００３７】
第２の工程は、第１の工程で洗浄されて処理パイプ１の外周に被せられた動物腸管１５の終管部１５ｂを、処理パイプ１の案内ガイド２が取外された先端１ａで表裏反転させて、処理パイプ１の内周側に挿入する工程である。
【００３８】
第３の工程は、搬送体５を逆転させながら、真空ポンプ８を駆動させ、空気を吸引して真空タンク４の空気を負圧にして動物腸管１５の終管部１５ｂから始管部１５ａまで処理パイプ１の先端１ａで逐次表裏反転させながら、処理パイプ１の内周側に挿入される１本の動物腸管１５を処理パイプ後端１ｂに吸引し、その一本の動物腸管１５全体を表裏反転して真空タンク４に収納する工程である。
【００３９】
第４の工程は、前記第１から第３の工程を繰返した後、真空ポンプ８を止めて、真空タンク４に空気を入れて反転処理された動物腸管１５を複数本回収する工程である。
【００４０】
【発明の効果】
本発明の動物腸管表裏反転処理装置とその装置を用いた動物腸管表裏反転処理方法は以下に示す効果を呈する。
【００４１】
数メートルの長さを有する紐状の動物腸管の内容物の洗浄・付属物の切除が効率的に行われ、その後工程として、動物腸管の終管部をセットすることで容易に表裏の反転が行われ、自動的に腸管１本を吸引により反転する事ができる。このため、従来の手作業による反転処理に対して大幅な省力効果を呈する。
【００４２】
したがって、動物腸管の表裏を反転処理した格段に食味のある内臓肉商品を効率よく大量に、且つ安価に提供する事ができる。
【図面の簡単な説明】
【図１】本発明の動物腸管表裏反転処理装置の構成を示す模式図である。
【図２】動物腸管表裏反転処理方法を説明する図で、（ａ）は案内ガイド２の挿入を示す断面図、（ｂ）は処理パイプの外周側に被せられて動物腸管１５の断面図、（ｃ）は処理パイプの内周側で表裏反転されて吸引される動物腸管１５の断面図である。
【符号の説明】
１    処理パイプ
１ａ  パイプ先端
１ｂ  パイプ後端
１ｃ  ネジ部
２    案内ガイド
３    洗浄水供給パイプ
３ａ  水バルブ（第１のバルブ）
４    真空タンク
４ａ  吸引バルブ（第２のバルブ）
４ｂ  残滓分離部（金網）
４ｃ  搬出口（パッキングゴムによる気密蓋）
５    搬送体（ローラ或いはベルト）
６    回転刃
６ａ  回転駆動部
７    案内板
７ａ  案内溝
８    真空ポンプ
９    原料水槽
１５    動物腸管
１５ａ  始管部
１５ｂ  終管部
１００  動物腸管表裏反転処理装置
【図１】
0003694792.tif 000002
【図２】
0003694792.tif 000003